(57)【要約】【課題】高反射率箇所が周方向に規則的に設けられた光ディスクを容易に短時間で特定することができる光ディスク装置および光ディスク判別方法を提供する。【解決手段】本発明に係る光ディスク装置１０は、ピックアップ部１１、ピックアップ制御部２０、データ再生回路２６、ＰＬＬ制御回路２７、ＣＰＵ３１、ＲＡＭ３２、ＲＯＭ３３、ＬＥＤ駆動回路３４ａ、ＬＥＤ表示部３４ｂ、インターフェース回路３５を有する。ＣＰＵ３１は、ＲＯＭ３３に記憶された光ディスク判別プログラムによって、少なくともＣＤ／ＤＶＤ判定手段、ディスク種類判別手段、スレッドモータ駆動手段、フォーカスサーボ実施手段、全加算信号出力取得手段、閾値算出手段、ピーク数算出手段および高反射率箇所数照合手段として機能する。【選択図】  図１
2008010096.tif 000002
【特許請求の範囲】
【請求項１】
あらかじめ閾値計算式と、高反射率箇所が周方向に規則的に設けられた光ディスクの１周あたりの高反射率箇所数と、この高反射率箇所数に関連付けられた前記高反射率箇所が周方向に規則的に設けられた光ディスクのディスク種別とを記憶しておく記憶手段と、
装填された光ディスクの１回転分以上の全加算信号出力を取得する全加算信号出力取得手段と、
前記全加算信号出力の最大値および平均値を算出し、この算出した最大値および平均値を利用して前記閾値計算式にもとづき閾値を計算する閾値算出手段と、
前記閾値を超える前記装填された光ディスクの１回転分の前記全加算信号出力のピーク数を計算するピーク数算出手段と、
前記ピーク数と前記高反射率箇所数とを照合する高反射率箇所照合手段と、
前記照合の結果、前記ピーク数と一致する前記高反射率箇所数が前記記憶手段にある場合または前記ピーク数との差の絶対値が５以下の前記高反射率箇所数が前記記憶手段にある場合は、前記装填された光ディスクのディスク種別を前記ピーク数に対応する前記高反射率箇所数に関連付けられた前記高反射率箇所が周方向に規則的に設けられた光ディスクのディスク種別であると判別するディスク種類判別手段と、
を有することを特徴とする光ディスク装置。
【請求項２】
前記記憶手段はさらにヒステリシス電圧を記憶したものであり、
前記ピーク数算出手段は、前記全加算信号出力が、前記閾値に前記ヒステリシス電圧を加えた値以上から、前記閾値より前記ヒステリシス電圧を減じた値以下へ変化するピーク数を算出する機能を有するよう構成された請求項１記載の光ディスク装置。
【請求項３】
前記記憶手段はさらにヒステリシス電圧を記憶したものであり、
前記ピーク数算出手段は、前記全加算信号出力が、前記閾値から前記ヒステリシス電圧を減じた値以下から、前記閾値に前記ヒステリシス電圧を加えた値以上へ変化するピーク数を算出する機能を有するよう構成された請求項１記載の光ディスク装置。
【請求項４】
装填された光ディスクの１回転分以上の全加算信号出力を取得するステップと、
前記全加算信号出力の最大値および平均値を算出し、この算出した最大値および平均値を利用して閾値を計算するステップと、
前記閾値を超える前記装填された光ディスクの１回転分の前記全加算信号出力のピーク数を計算するステップと、
前記ピーク数と高反射率箇所が周方向に規則的に設けられた光ディスクの１回転分の高反射率箇所数とを照合するステップと、
前記照合の結果、前記ピーク数と一致する前記高反射率箇所数が一致した場合または前記ピーク数と前記高反射率箇所数の差の絶対値が５以下の場合は、前記装填された光ディスクのディスク種別を前記ピーク数に対応する前記高反射率箇所数を有する前記高反射率箇所が周方向に規則的に設けられた光ディスクのディスク種別であると判別するステップと、
を有することを特徴とする光ディスク判別方法。
【請求項５】
前記ピーク数を計算するステップは、前記全加算信号出力が、前記閾値にあらかじめ設定されたヒステリシス電圧を加えた値以上から、前記閾値より前記ヒステリシス電圧を減じた値以下へ変化するピーク数を算出するステップである請求項４記載の光ディスク判別方法。
【請求項６】
前記ピーク数を計算するステップは、前記全加算信号出力が、前記閾値からあらかじめ設定されたヒステリシス電圧を減じた値以下から、前記閾値に前記ヒステリシス電圧を加えた値以上へ変化するピーク数を算出するステップである請求項４記載の光ディスク判別方法。
【発明の詳細な説明】
【技術分野】
【０００１】
この発明は、ＣＤ、ＤＶＤまたはＨＤ ＤＶＤなどを扱う光ディスク装置および光ディスク判別方法に関する。
【背景技術】
【０００２】
従来、この種の光ディスク判別技術には、特開２００５−２５９２５２号公報（特許文献１）に開示されたものがある。
【０００３】
特開２００５−２５９２５２号公報（特許文献１）に開示されたディスクドライブ装置は、光ディスクに照射するレーザの強度、焦点などを制御する制御手段を備えており、光ディスクの表面反射が得られる時点から記録層反射が得られる時点までの時間長の計測結果にもとづいてＣＤ系ディスクかＤＶＤ系ディスクの判別を行う。また、この判別結果にもとづいてＣＤ系、ＤＶＤ系の各系に対応する波長のレーザを照射してフォーカスエラー信号（以下、ＦＥ信号という）を得て、このＦＥ信号のピーク値からさらに詳細な光ディスク種別について特定することができるようになっている。
【０００４】
ＦＥ信号のピーク値は、光ディスクの反射率に比例する。この反射率は、光ディスクの種類によって異なる大きさを有する。このため、ＦＥ信号のピーク値から、詳細な光ディスク種別を特定することが可能である。
【特許文献１】特開２００５−２５９２５２号公報
【発明の開示】
【発明が解決しようとする課題】
【０００５】
従来の光ディスク判別技術では、特にＤＶＤ−ＲＡＭディスクの判別において、大きく分けて次の二つの問題がある。
【０００６】
第１に、判別そのものにかかる時間の問題がある。従来の技術では、まずＤＶＤ−ＲＡＭをＤＶＤ系のディスクと判別し、つぎにＤＶＤ系に対応するレーザを点灯し、さらに各種サーボ調整などを行い、ＦＥ信号のピーク値を得て、このＦＥ信号のピーク値からＤＶＤの１層低反射（ＤＶＤ−ＲＡＭ、ＤＶＤ±ＲＷ）を判別した後、トラックオン状態でＤＶＤ−ＲＡＭと判別する。このため、必要な手順が多く、判別に時間がかかってしまう。
【０００７】
第２に、ノイズの問題がある。一般に、判別にかかる時間を短縮するためにはトラックオフ状態のまま判別を行うことが有効だと考えられている。しかし、トラックオフ状態では、ＲＦ信号やＬＰＰ（Land Pre-Pit）信号がノイズとなり、このノイズが原因で判別に失敗する場合がある。
【０００８】
ＤＶＤ−ＲＡＭは、他の光ディスクと異なり、アドレス信号（ヘッダ）の方式としてＣＡＰＡ（Complimentary Allocated Pit Addressing）を採用している。ＣＡＰＡ（ヘッダ）は、ディスクのＣＡＰＡ以外の部分（データ記録トラックなど）に比べ、反射率が非常に高い。また、ＣＡＰＡは１セクタごとに記録されている。このため、ディスク一周につき、所定の個数のＣＡＰＡが規則的に存在する。たとえば、ＤＶＤ−ＲＡＭのＶｅｒ１では１７個、Ｖｅｒ２では２５個のＣＡＰＡが、ディスク一周につき存在する。
【０００９】
つまり、ＤＶＤ−ＲＡＭの反射率測定をディスクの周方向に行う場合、高反射率箇所が規則的に現れる。
【００１０】
したがって、ＤＶＤ−ＲＡＭなどの高反射率箇所が周方向に規則的に設けられた光ディスクを特定するためには、光ディスクの１周分の反射光強度の情報のみで足りる。
【００１１】
また、高反射率箇所の反射は、他の箇所の反射に比べ非常に高いため、ノイズの影響を受けにくい。
【００１２】
本発明は、上述した事情を鑑みてなされたもので、高反射率箇所が周方向に規則的に設けられた光ディスクを容易に短時間で特定することができる光ディスク装置および光ディスク判別方法を提供することを目的とする。
【課題を解決するための手段】
【００１３】
本発明に係る光ディスク装置は、上述した課題を解決するために、あらかじめ閾値計算式と、高反射率箇所が周方向に規則的に設けられた光ディスクの１周あたりの高反射率箇所数と、この高反射率箇所数に関連付けられた前記高反射率箇所が周方向に規則的に設けられた光ディスクのディスク種別とを記憶しておく記憶手段と、装填された光ディスクの１回転分以上の全加算信号出力を取得する全加算信号出力取得手段と、前記全加算信号出力の最大値および平均値を算出し、この算出した最大値および平均値を利用して前記閾値計算式にもとづき閾値を計算する閾値算出手段と、前記閾値を超える前記装填された光ディスクの１回転分の前記全加算信号出力のピーク数を計算するピーク数算出手段と、前記ピーク数と前記高反射率箇所数とを照合する高反射率箇所照合手段と、前記照合の結果、前記ピーク数と一致する前記高反射率箇所数が前記記憶手段にある場合または前記ピーク数との差の絶対値が５以下の前記高反射率箇所数が前記記憶手段にある場合は、前記装填された光ディスクのディスク種別を前記ピーク数に対応する前記高反射率箇所数に関連付けられた前記高反射率箇所が周方向に規則的に設けられた光ディスクのディスク種別であると判別するディスク種類判別手段と、を有することを特徴とするものである。
【００１４】
また、本発明に係る光ディスク判別方法は、上述した課題を解決するために、装填された光ディスクの１回転分以上の全加算信号出力を取得するステップと、前記全加算信号出力の最大値および平均値を算出し、この算出した最大値および平均値を利用して閾値を計算するステップと、前記閾値を超える前記装填された光ディスクの１回転分の前記全加算信号出力のピーク数を計算するステップと、前記ピーク数と高反射率箇所が周方向に規則的に設けられた光ディスクの１回転分の高反射率箇所数とを照合するステップと、前記照合の結果、前記ピーク数と一致する前記高反射率箇所数が一致した場合または前記ピーク数と前記高反射率箇所数の差の絶対値が５以下の場合は、前記装填された光ディスクのディスク種別を前記ピーク数に対応する前記高反射率箇所数を有する前記高反射率箇所が周方向に規則的に設けられた光ディスクのディスク種別であると判別するステップと、を有することを特徴とする方法である。
【発明の効果】
【００１５】
本発明に係る光ディスク装置および光ディスク判別方法によれば、高反射率箇所が周方向に規則的に設けられた光ディスクを容易に短時間で特定することができる。
【発明を実施するための最良の形態】
【００１６】
本発明に係る光ディスク装置の実施の形態について、添付図面を参照して説明する。
【００１７】
図１は、本発明に係る光ディスク装置の第１実施形態を示す概略的な全体構成図である。
【００１８】
光ディスク装置１０は、ピックアップ部１１、ピックアップ制御部２０、スピンドルモータ部２５、データ再生回路２６、ＰＬＬ制御回路２７、ＣＰＵ３１、ＲＡＭ３２、ＲＯＭ３３、ＬＥＤ駆動回路３４ａ、ＬＥＤ表示部３４ｂ、インターフェース回路３５を有する。
【００１９】
ピックアップ部１１は、光ディスク１にレーザを集光する対物レンズ１２と、光ディスク１の記録面に対して垂直（厚さ）方向（フォーカス方向）および水平（半径）方向（トラッキング方向）に対物レンズ１２を移動させる対物レンズ移動手段１３と、光ディスク１の反射光を検出しこの反射光に応じた出力を行う反射光検出手段１４とを少なくとも有する。対物レンズ移動手段１３は、フォーカシング制御回路２２ｂおよびトラッキング制御回路２３ｂにより制御される。この対物レンズ移動手段１３は、一般的に対物レンズ１２の移動に磁力が用いられることから、コイルおよびマグネットにより構成される。
【００２０】
反射光検出手段１４は、光ディスク１の反射光を受光可能な位置に一面に並べられた複数の光検出セル（フォトダイオードなど）により構成される。この光検出セルは、光ディスク１の記録面によるレーザ反射光をそれぞれの位置で受光し、受光した光の強度に応じた出力をそれぞれ行う。反射光検出手段１４の出力は、この複数の光検出セルの出力を集めたものである。
【００２１】
ピックアップ制御部２０は、全加算信号生成回路２１、フォーカスエラー（ＦＥ）信号生成回路２２ａ、フォーカシング制御回路２２ｂ、トラッキングエラー（ＴＥ）信号生成回路２３ａ、トラッキング制御回路２３ｂ、スレッドモータ２４ａおよびスレッドモータ制御回路２４ｂを有する。
【００２２】
全加算信号生成回路２１は、光ディスク１の記録面によるレーザ反射光の情報を反射光検出手段１４から受け、反射光強度に応じた信号（全加算信号）を出力する。したがって、この全加算信号は、光ディスク１の記録面にレーザの焦点が完全にあった状態（以下、ジャストフォーカスという）で最大となる。
【００２３】
ＦＥ信号生成回路２２ａは、光ディスク１の記録面によるレーザ反射光の情報を反射光検出手段１４から受け、対物レンズ１２を光ディスク１の記録面と垂直方向に移動した場合のジャストフォーカスからのズレに応じた信号（ＦＥ信号）を出力する。フォーカシング制御回路２２ｂは、ＦＥ信号生成回路２２ａから受けたＦＥ信号にもとづいて、対物レンズ１２をジャストフォーカスの位置に移動させるよう、対物レンズ移動手段１３を制御する。
【００２４】
ＴＥ信号生成回路２３ａは、光ディスク１の記録面によるレーザ反射光の情報を反射光検出手段１４から受け、対物レンズ１２を光ディスク１の半径方向に移動した場合のトラック中心に位置した状態（以下、ジャストトラックという）からのズレに応じた信号（ＴＥ信号）を出力する。トラッキング制御回路２３ｂは、ＴＥ信号生成回路２３ａから受けたＴＥ信号にもとづいて、対物レンズ１２をジャストトラックになる位置に移動させるよう、対物レンズ移動手段１３を制御する。
【００２５】
スレッドモータ２４ａは、光ディスク１の半径方向に摺動可能にシャーシ（図示せず）に取り付けられたピックアップ部１１とギア２４ｃを介して連結されている。スレッドモータ２４ａは、光ディスク１の半径方向にピックアップ部１１を移動させるものであり、この移動の幅は対物レンズ移動手段１３の移動の幅よりも大きい。スレッドモータ制御回路２４ｂは、スレッドモータ２４ａの動作を制御する。
【００２６】
トラッキング制御回路２３ｂによる対物レンズ移動手段１３の制御を行わない状態（以下、トラックオフ状態という）でも、このスレッドモータ２４ａにより、ピックアップ部１１を光ディスク１の半径方向に移動させることができる。
【００２７】
スピンドルモータ部２５は、スピンドルモータ２５ａおよびスピンドルモータ制御回路２５ｂを有する。スピンドルモータ２５ａは、光ディスク１を回転駆動させる。スピンドルモータ制御回路２５ｂは、スピンドルモータ２５ａの動作を制御する。
【００２８】
データ再生回路２６は、ＰＬＬ（Phase Locked Loop）制御回路２７から受けた再生用クロック信号にもとづき、光ディスク１１の記録データを再生する。
【００２９】
ＣＰＵ３１は、ＲＯＭ３３内に記憶されたプログラムに従って、光ディスク装置１０の処理動作を制御する。ＣＰＵ３１は、ＲＯＭ３３内に記憶された光ディスク判別プログラムおよびプログラムの実行のために必要なデータをＲＡＭ３２へロードし、光ディスク判別プログラムに従って、光ディスク１の種類を判別するための処理を実行する。
【００３０】
ＲＡＭ３２は、ＣＰＵ３１が実行するプログラムおよびデータを一時的に格納するワークエリアを提供する。
【００３１】
ＲＯＭ３３は、光ディスク装置１０の起動プログラム、光ディスク判別プログラムや、これらのプログラムを実行するために必要な各種データを記憶する。この各種データとして、ＲＯＭ３３は、あらかじめＣＤ系およびＤＶＤ系の表面から記録層までの距離のデータ、閾値計算式、１周あたりの高反射率箇所数およびこの高反射率箇所数に関連付けられたディスク種別を少なくとも記憶している。
【００３２】
なお、ＲＯＭ３３は、磁気的もしくは光学的記憶媒体または半導体メモリなどの、ＣＰＵ３１により読み取り可能な記憶媒体を含んだ構成を有し、ＲＯＭ３３内のプログラムおよびデータの一部または全部を電子ネットワークを介してダウンロードされるように構成してもよい。
【００３３】
ＬＥＤ表示部３４ｂは、ＬＥＤ駆動回路３４ａにより制御され、光ディスク装置１０の動作状態を表示する。
【００３４】
インターフェース回路３５は、外部のコンピュータとしてのホスト装置４０と接続され、このインターフェース回路３５を介して、ホスト装置４０と光ディスク装置１０間の通信が行われる。
【００３５】
図２は、ＣＰＵ３１による機能実現手段の構成例を示す概略的なブロック図である。
【００３６】
ＣＰＵ３１は、ＲＯＭ３３に記憶された光ディスク判別プログラムによって、少なくともＣＤ／ＤＶＤ判定手段３１ａ、ディスク種類判別手段３１ｂ、スレッドモータ駆動手段３１ｃ、フォーカスサーボ実施手段３１ｄ、全加算信号出力取得手段３１ｅ、閾値算出手段３１ｆ、ピーク数算出手段３１ｇおよび高反射率箇所数照合手段３１ｈとして機能する。この各手段は、ＲＡＭ３２の所要のワークエリアを、データの一時的な格納場所として利用する。なお、この各手段は、ＣＰＵを用いずに、ハードウエアロジックによって構成してもよい。
【００３７】
ＣＤ／ＤＶＤ判定手段３１ａは、一般的な方法で光ディスク１がＣＤ系かＤＶＤ系かを判定し、この判定結果をディスク種類判別手段３１ｂに与える機能を有する。この一般的な方法としては、たとえば、ＣＤ系とＤＶＤ系の厚さの違い（ＣＤ系〜１．２ｍｍ、ＤＶＤ系〜０．６ｍｍ）を利用する方法や、反射率の違い（ＤＶＤはＣＤの約１／２）を利用する方法などが挙げられる。
【００３８】
ディスク種類判別手段３１ｂは、光ディスク１の種類を判別し、この判別結果の情報をインターフェース回路３５を介してホスト装置４０に出力する機能を有する。また、ディスク種類判別手段３１ｂは、高反射率箇所数照合手段３１ｈから光ディスク１の記憶ＣＡＰＡ数を受けた場合は、あらかじめＲＯＭ３３に記憶されている、この記憶ＣＡＰＡ数に関連付けられたディスク種別を読み出し、このディスク種別をインターフェース回路３５を介してホスト装置４０に出力する機能を有する。
【００３９】
スレッドモータ駆動手段３１ｃは、スレッドモータ制御回路２４ｂを介してスレッドモータ２４ａを駆動することにより、光ディスク１の高反射率箇所にレーザが当たる位置へピックアップ部１１を移動させる機能を有する。
【００４０】
フォーカスサーボ実施手段３１ｄは、フォーカシング制御回路２２ｂを介して対物レンズ移動手段１３を駆動し、ジャストフォーカスになるように制御する機能を有するとともにフォーカシング動作に関する機能を有する。
【００４１】
全加算信号出力取得手段３１ｅは、スピンドルモータ制御回路２５ｂを介してスピンドルモータ２５ａを駆動し、光ディスクを回転させる機能を有する。また、全加算信号出力取得手段３１ｅは、全加算信号生成回路２１から、少なくとも１回転分の全加算信号出力を取得し、ＲＡＭ３２の所要のエリアに記憶しておく機能を有する。
【００４２】
閾値算出手段３１ｆは、全加算信号生成回路２１が出力する全加算信号データにもとづき、最大値Ｐと平均値Ａｖｅを算出する機能を有する。また、閾値算出手段３１ｆは、この算出した最大値Ｐと平均値Ａｖｅにもとづき、あらかじめＲＯＭ３３に記憶しておいた計算式にもとづいて閾値Ｔを算出する機能を有する。
【００４３】
ピーク数算出手段３１ｇは、全加算信号生成回路２１が出力する全加算信号データと閾値算出手段３１ｆが算出した閾値Ｔとを比較して、閾値Ｔを越えるパルス（ピーク）の数ｎを計算する機能を有する。
【００４４】
高反射率箇所数照合手段３１ｈは、あらかじめＲＯＭ３３に記憶されている高反射率箇所数とピーク数算出手段３１ｇが算出したピーク数ｎとを比較し、この比較の結果をディスク種類判別手段３１ｂに与える機能を有する。
【００４５】
次に、光ディスク装置１０の作用について説明する。
【００４６】
図３は、図１に示す光ディスク装置１０により、光ディスク１の反射の情報にもとづき、ディスクの周方向に高反射率箇所が周方向に規則的に設けられた光ディスク１の特定を行う際の手順を示すフローチャートである。図３には、ディスクの周方向に高反射率箇所が規則的に設けられた光ディスク１のうち、例として、高反射率箇所としてＣＡＰＡをもつＤＶＤ−ＲＡＭの場合について、ディスク種別の特定を行う際の手順を示す。図３において、Ｓに数字を付した符号は、フローチャートの各ステップを示す。
【００４７】
なお、この手順において、トラッキング制御回路２３ｂからの出力がゼロ（トラックオフ状態（トラッキングサーボを施さない状態））であることに注意する。
【００４８】
図３に示すフローチャートは、光ディスク装置１０が、光ディスク１が装填されたことを認識してスタートとなり、ステップＳ１へ移行する。
【００４９】
まず、ステップＳ１において、ＣＤ／ＤＶＤ判定手段３１ａは、一般的な方法を用いて光ディスク１がＣＤ系かＤＶＤ系かを判定する。ＣＤ系の場合は、ステップＳ２に進む。一方、ＤＶＤ系の場合は、ステップＳ３に進む。
【００５０】
たとえば、ＣＤ系とＤＶＤ系の厚さの違いを利用する場合は、ＣＤ／ＤＶＤ判定手段３１ａは、フォーカシング制御回路２２ｂを制御することにより、レーザの焦点を光ディスク１の表面より手前から記録層の奥まで、または記録層の奥から表面より手前まで移動させる。この移動の間、ＣＤ／ＤＶＤ判定手段３１ａは全加算信号生成回路２１の出力（反射光強度）を監視する。
【００５１】
全加算信号（反射光強度）は、表面と記録層にピークを持つ。したがって、表面と記録層にそれぞれ対応する２つのピークが全加算信号に現れるまでに要する時間から、光ディスク１の表面から記録層までの距離を算出することができる。ＣＤ／ＤＶＤ判定手段３１ａは、この距離を算出し、この算出した距離とあらかじめＲＯＭ３３に記憶しておいたＣＤ系およびＤＶＤ系の表面から記録層までの距離のデータとを比較することにより、光ディスク１がＣＤ系かＤＶＤ系かを判定する。
【００５２】
次に、ステップＳ２において、ディスク種類判別手段３１ｂは、ＣＤ／ＤＶＤ判定手段３１ａから光ディスク１がＣＤ系であるとの情報を受け、光ディスク１がＣＤ系である旨をインターフェース回路３５を介してホスト装置４０に出力し、この手順は終了となる。
【００５３】
他方、ステップＳ３において、スレッドモータ駆動手段３１ｃは、スレッドモータ制御回路２４ｂを介してスレッドモータ２４ａを駆動することにより、ＤＶＤ−ＲＡＭのRewritableエリアにレーザが当たるようにピックアップ部１１を移動させる。
【００５４】
次に、ステップＳ４において、フォーカスサーボ実施手段３１ｄは、フォーカシング制御回路２２ｂを介して対物レンズ移動手段１３を駆動し、ジャストフォーカスになるように制御する。この結果、対物レンズ１２より集光されたレーザ光の光スポット（焦点）はＤＶＤ−ＲＡＭのRewritableエリア上にジャストフォーカスとなる。
【００５５】
次に、ステップＳ５において、全加算信号出力取得手段３１ｅは、スピンドルモータ制御回路２５ｂを介してスピンドルモータ２５ａを駆動し、光ディスク１を回転させる。全加算信号出力取得手段３１ｅは、全加算信号生成回路２１から、少なくとも１回転分の全加算信号出力を取得し、ＲＡＭ３２の所要のエリアに記憶しておく。
【００５６】
次に、ステップＳ６において、閾値算出手段３１ｆは、ＲＡＭ３２の所要のワークエリアから光ディスク１の１回転分の全加算信号出力を読み出し、最大値Ｐと平均値Ａｖｅを算出する。この算出した最大値Ｐと平均値Ａｖｅにもとづき、あらかじめＲＯＭ３３に記憶しておいた次の閾値計算式（１）にもとづいて閾値Ｔを算出する。  
［数１］
Ｔ ＝ ( ( ( a × Ｐ ) ＋ ( b × Ａｖｅ ) ) ＋ c ) ／ d              （１）
ただし、ａ、ｂおよびｃは任意の整数、ｄはゼロを除く任意の整数をそれぞれ表す。このａ、ｂ、ｃおよびｄの値は、あらかじめ式（１）に代入された状態でＲＯＭ３３に記憶しておいてもよいし、ユーザが入力した値を適宜用いるようにしてもよい。
【００５７】
たとえば、ａ＝ｂ＝１、ｃ＝０、ｄ＝２の場合、閾値計算式（１）は次の式（２）のように書ける。  
［数２］
Ｔ ＝ （Ｐ＋Ａｖｅ）／ ２                                          （２）
【００５８】
次に、ステップＳ７において、ピーク数算出手段３１ｇは、ＲＡＭ３２の所要のワークエリアから光ディスク１の１回転分の全加算信号出力を読み出し、閾値Ｔと比較して、閾値Ｔを越えるパルス（ピーク）の数ｎを計算する。
【００５９】
次に、ステップＳ８において、高反射率箇所数照合手段３１ｈは、あらかじめＲＯＭ３３に記憶されている高反射率箇所数（以下、記憶ＣＡＰＡ数という）と閾値Ｔを超えるピーク数ｎとを比較する。この記憶ＣＡＰＡ数としては、たとえば、１７（ＤＶＤ−ＲＡＭ（Ｖｅｒ１）の規格値）および２５（ＤＶＤ−ＲＡＭ（Ｖｅｒ２）の規格値）などがあげられる。
【００６０】
図４は、ＤＶＤ−ＲＡＭ（Ｖｅｒ２）の１回転分の全加算信号と式（２）にもとづいて算出した閾値Ｔとの関係を示す説明図であり、図５は、ＤＶＤ−ＲＡＭ以外の光ディスク１の１回転分の全加算信号と式（２）にもとづいて算出した閾値Ｔとの関係を示す説明図である。
【００６１】
図４および図５において、一番左の下向きのピークは、傷に由来するものである。これは、傷の箇所からの反射光強度は傷による散乱で著しく低くなるためである。
【００６２】
図４において、この傷は、ＣＡＰＡの１箇所に重なっているため、閾値Ｔを超えるピーク数ｎは図４に示す例においては２４である。つまり、ピーク数ｎは、記憶ＣＡＰＡ数の１７および２５とは一致しないが、近傍の値をとる。
【００６３】
図５において、ピーク数ｎの値は、記憶ＣＡＰＡ数の値に比べて非常に大きい。これは、ＤＶＤ−ＲＡＭ以外のディスクにはＣＡＰＡのような高反射率箇所がないためである。図５から明らかなように、ＤＶＤ−ＲＡＭ以外のディスクにおいては、ピーク数ｎが記憶ＣＡＰＡ数と一致または近傍の値を取る場合は、ほぼないといえる。
【００６４】
光ディスク１には傷がつくことも多く、図４に示すように傷がＣＡＰＡと重なってしまう場合も容易に想定しうる。この傷が原因となり、光ディスク１がＤＶＤ―ＲＡＭの場合でも、ピーク数ｎと記憶ＣＡＰＡ数が一致しない場合がある。したがって、ＤＶＤ−ＲＡＭかどうかの判定にあたり、ピーク数ｎが記憶ＣＡＰＡ数に一致する場合だけでなく、たとえば記憶ＣＡＰＡ数に対して±５程度の誤差を許すほうが実用にかなう。
【００６５】
照合の結果、ピーク数ｎが記憶ＣＡＰＡ数のいずれかに等しいか、異なっていてもたとえばピーク数ｎと記憶ＣＡＰＡ数の差の絶対値が５以内の場合は、高反射率箇所数照合手段３１ｈは、ピーク数ｎに対応する記憶ＣＡＰＡ数をディスク種類判別手段３１ｂに与えてステップＳ９に進む。一方、ピーク数ｎと記憶ＣＡＰＡ数の差の絶対値が６以上の場合は、ステップＳ１０に進む。
【００６６】
次に、ステップＳ９において、ディスク種類判別手段３１ｂは、高反射率箇所数照合手段３１ｈから光ディスク１の記憶ＣＡＰＡ数を受け、あらかじめＲＯＭ３３に記憶されている、この記憶ＣＡＰＡ数に関連付けられたディスク種別を読み出す。たとえば高反射率箇所数照合手段３１ｈから受けた光ディスク１の記憶ＣＡＰＡ数が２５である場合は、光ディスク１をＤＶＤ−ＲＡＭ（Ｖｅｒ２）であると判別し、手順は終了となる。
【００６７】
他方、ステップＳ１０において、ディスク種類判別手段は３１ｂは、光ディスク１をＤＶＤ系ではあるがＤＶＤ−ＲＡＭ以外であると判別し、手順は終了となる。
【００６８】
以上の手順により、光ディスクの反射の情報にもとづき、ディスクの周方向に高反射率箇所が規則的に設けられた光ディスクの特定を行うことができる。
【００６９】
図１に示した光ディスク装置１０は、光ディスク１がＤＶＤ−ＲＡＭかどうかの判定を、ＣＤ系かＤＶＤ系かの判定を除けば、ディスク１周あたりのＣＡＰＡ数のみで、かつトラックオフ状態で行う。このため、従来の光ディスク判別技術に比べ、判定にいたるまでの手順が少ない。したがって、光ディスク装置１０は、従来の光ディスク判別技術に比べ、容易かつ迅速にＤＶＤ−ＲＡＭかどうかの判定を行うことができる。
【００７０】
また、本実施形態に係る光ディスク装置１０は、高反射率箇所数の測定のみでＤＶＤ−ＲＡＭかどうかの判定を行う。高反射率箇所は、これ以外の箇所と比べて反射率が大きく違う（図４参照）。このため、この光ディスク装置１０は、高ノイズ下でも適用可能である。したがって、たとえば、トラックオン状態で本実施形態を適用しても、光ディスク装置１０によれば、信頼性の高いＤＶＤ−ＲＡＭ判定を行うことができる。
【００７１】
また、光ディスク装置１０は、トラックオフ状態でＤＶＤ−ＲＡＭ判定を行うことができる。このため、光ディスク装置１０は、ＤＶＤ−ＲＡＭに対して原理的にトラックオンすることができない再生専用機器などにたいしても適用することができる。
【００７２】
一般に、再生専用機器（ＤＶＤ−ＲＯＭ専用機器など）は、トラッキングサーボを施す際に重要なＴＥ信号の検出方式として、ピット列からのズレを利用するＤＰＤ（Differential Phase Detection）方式を採用している。しかし、ＤＶＤ−ＲＡＭには未記録の場合、すなわちピットが存在しない場合がある。このため、再生専用機器では、未記録のＤＶＤ−ＲＡＭからはＴＥ信号が得られず、トラックオンできない。ディスク種別判定をトラックオン状態で行う再生専用機器に、誤って未記録のＤＶＤ−ＲＡＭを装填すると、トラッキングサーボが誤動作してしまう場合もある。
【００７３】
一方、この光ディスク装置１０は、トラックオフ状態でＤＶＤ−ＲＡＭ判定を行うことができる。したがって、この光ディスク装置１０を適用することにより、再生専用機器でもＤＶＤ−ＲＡＭ判定を安定して行うことができる。
【００７４】
また、光ディスク装置１０は、ＣＡＰＡ数（高反射率箇所数）のみでＤＶＤ−ＲＡＭかどうかの判定を行っている。このため、ＤＶＤ−ＲＡＭによらず、ディスクの周方向に高反射率箇所が規則的に設けられた光ディスクであれば光ディスク装置１０を用いることができる。したがって、将来市場に登場する新規な光ディスクに対しても、この新規な光ディスクがディスクの周方向に高反射率箇所が規則的に設けられたものであれば、当然にこの光ディスク装置１０を適用することができる。この場合、ＲＯＭ３３が記憶している高反射率箇所数およびこの高反射率箇所数に関連付けられたディスク種別に、この新規な光ディスクの高反射率箇所数およびこの高反射率箇所数に関連付けられた新規な光ディスクの種別をあらかじめ加えておくべきことに注意する。
【００７５】
次に、本発明に係る光ディスク装置１０の第２実施形態を説明する。
【００７６】
本実施形態は、ピーク数ｎの算出方法が第１実施形態と異なる。本実施形態に係る光ディスク装置１０は、第１実施形態に示された光ディスク装置１０とＣＰＵ３１のピーク数算出手段３１ｇの機能およびＲＯＭ３３にあらかじめ記憶しておくデータが異なる。他の構成および作用は第１実施形態に示された光ディスク装置１０と異ならないので、同じ構成には同一符号を付して説明を省略する。
【００７７】
ＲＯＭ３３は、光ディスク装置１０の起動プログラム、光ディスク判別プログラムや、これらのプログラムを実行するために必要な各種データを記憶する。この各種データとして、ＲＯＭ３３は、あらかじめＣＤ系およびＤＶＤ系の表面から記録層までの距離のデータ、閾値計算式、１周あたりの高反射率箇所数およびこの高反射率箇所数に関連付けられたディスク種別のほか、ピーク数ｎを算出するために必要なヒステリシス電圧αを少なくとも記憶している。
【００７８】
ピーク数算出手段３１ｇは、ＲＡＭ３２の所要のワークエリアから光ディスク１の1回転分の全加算信号出力を、ＲＯＭ３３からあらかじめ記憶されているヒステリシス電圧αを、それぞれ読み出す機能を有する。また、ピーク数算出手段３１ｇは、全加算信号出力が、閾値Ｔにヒステリシス電圧αを加えた値（Ｔ＋α）以上から、閾値Ｔからヒステリシス電圧αを減じた値（Ｔ−α）以下となるパルス（ピーク）の数ｎを算出する機能を有する。
【００７９】
なお、このパルス（ピーク）の数ｎの算出にあたり、全加算信号出力がＴ−α以下からＴ＋α以上となるパルス（ピーク）の数をｎとして算出するようにピーク数算出手段３１ｇを構成してもよい。
【００８０】
図６は、図１に示す光ディスク装置１０により、光ディスク１の反射の情報にもとづき、ディスクの周方向に高反射率箇所が規則的に設けられた光ディスク１の特定を行う際の他の手順を示すフローチャートである。図７には、例として、高反射率箇所としてＣＡＰＡをもつＤＶＤ−ＲＡＭの場合について、ディスク種別の特定を行う際の手順を示す。図６において、Ｓに数字を付した符号はフローチャートの各ステップを示す。また、図３と同等のステップには同一符号を付し、重複する説明を省略する。
【００８１】
ステップＳ２０において、ピーク数算出手段３１ｇは、ＲＡＭ３２の所要のワークエリアから光ディスク１の1回転分の全加算信号出力を、ＲＯＭ３３からあらかじめ記憶されているヒステリシス電圧αを、それぞれ読み出し、全加算信号出力が、Ｔ＋α以上からＴ―α以下となるパルス（ピーク）の数ｎを計算する。
【００８２】
次に、ステップＳ８において、高反射率箇所数照合手段３１ｈは、あらかじめＲＯＭ３３に記憶されている高反射率箇所数（以下、記憶ＣＡＰＡ数という）とピーク数算出手段３１ｇの算出したピーク数ｎとを比較する。この記憶ＣＡＰＡ数としては、たとえば、１７（ＤＶＤ−ＲＡＭ（Ｖｅｒ１）の規格値）および２５（ＤＶＤ−ＲＡＭ（Ｖｅｒ２）の規格値）などがあげられる。
【００８３】
図７は、ＤＶＤ−ＲＡＭ（Ｖｅｒ２）の1回転分の全加算信号と式（２）にもとづいて算出した閾値Ｔと閾値Ｔ±ヒステリシス電圧αとの関係を示す説明図であり、図８は、ＤＶＤ−ＲＡＭ以外の光ディスクの1回転分の全加算信号と式（２）にもとづいて算出した閾値Ｔと閾値Ｔ±ヒステリシス電圧αとの関係を示す説明図である。図７および図８において、下向きのピークは傷に由来するものである。
【００８４】
図７において、この傷は、ＣＡＰＡとは重ならない位置にあるため、全加算信号出力がＴ＋α以上からＴ−α以下（または全加算信号出力がＴ−α以下からＴ＋α以上）となるパルス（ピーク）の数ｎは２５である。
【００８５】
図８から明らかなように、ＤＶＤ−ＲＡＭ以外の光ディスクの1回転分の全加算信号出力がＴ＋α以上からＴ−α以下（または全加算信号出力がＴ−α以下からＴ＋α以上）となるパルス（ピーク）の数ｎが記憶ＣＡＰＡ数と一致する場合は、ほぼないといえる。
【００８６】
そして、照合の結果、ピーク数ｎが記憶ＣＡＰＡ数のいずれかに等しいか、異なっていてもたとえばピーク数ｎと記憶ＣＡＰＡ数の差の絶対値が５以内の場合は、高反射率箇所数照合手段３１ｈは、ピーク数ｎに対応する記憶ＣＡＰＡ数をディスク種類判別手段３１ｂに与えてステップＳ９に進む。一方、ピーク数ｎと記憶ＣＡＰＡ数の差の絶対値が６以上の場合は、ステップＳ１０に進む。
【００８７】
本実施形態に係る光ディスク装置１０によっても、第１実施形態と同様の効果を得ることができる。
【００８８】
また、本実施形態に係る光ディスク装置１０は、ヒステリシス電圧αを利用している。このため、この光ディスク装置１０によれば、閾値Ｔを若干超えるが最大値Ｐには届かないような大きなノイズを除去することができる。したがって、本実施形態に係る光ディスク装置１０は、より信頼性の高いＤＶＤ−ＲＡＭ判定を行うことが可能である。
【００８９】
なお、ヒステリシス電圧αは、あらかじめＲＯＭ３３に記憶している値のほか、全加算信号出力取得手段３１ｅが取得する全加算信号の最大値Ｐと平均値Ａｖｅの差（Ｐ−Ａｖｅ）に対して一定の割合をかけたものとしてもよい。この場合、この一定の割合は、あらかじめＲＯＭ３３に記憶させておく。たとえばこの一定の割合を３０％とする場合は、（Ｐ−Ａｖｅ）×０．３をヒステリシス電圧αとしてピーク数ｎの計算に利用する。
【００９０】
なお、ＤＶＤ系のみを扱う機器（ＤＶＤ専用機器など）に本発明に係る光ディスク装置１０を適用する場合は、図３および図６におけるステップＳ１は不要である。
【００９１】
また、最大値Ｐ、平均値Ａｖｅを算出するにあたり利用する全加算信号出力は、１回転分に限定されるものではなく、複数回転分の全加算信号出力を利用するようにしてもかまわない。
【図面の簡単な説明】
【００９２】
【図１】本発明に係る光ディスク装置の第１実施形態を示す概略的な全体構成図。
【図２】ＣＰＵによる機能実現手段の構成例を示す概略的なブロック図。
【図３】図１に示す光ディスク装置により、光ディスクの反射の情報にもとづき、ディスクの周方向に高反射率箇所が規則的に設けられた光ディスクの特定を行う際の手順を示すフローチャート。
【図４】ＤＶＤ−ＲＡＭ（Ｖｅｒ２）の1回転分の全加算信号と式（２）にもとづいて算出した閾値Ｔとの関係を示す説明図。
【図５】ＤＶＤ−ＲＡＭ以外の光ディスクの1回転分の全加算信号と式（２）にもとづいて算出した閾値Ｔとの関係を示す説明図。
【図６】図１に示す光ディスク装置により、光ディスクの反射の情報にもとづき、ディスクの周方向に高反射率箇所が規則的に設けられた光ディスクの特定を行う際の他の手順を示すフローチャート。
【図７】ＤＶＤ−ＲＡＭ（Ｖｅｒ２）の1回転分の全加算信号と式（２）にもとづいて算出した閾値Ｔと閾値Ｔ±ヒステリシス電圧αとの関係を示す説明図。
【図８】ＤＶＤ−ＲＡＭ以外の光ディスクの1回転分の全加算信号と式（２）にもとづいて算出した閾値Ｔと閾値Ｔ±ヒステリシス電圧αとの関係を示す説明図。
【符号の説明】
【００９３】
１  光ディスク
１０  光ディスク装置
１１  ピックアップ部
１２  対物レンズ
１３  対物レンズ移動手段
１４  反射光検出手段
２０  ピックアップ制御部
２１  全加算信号生成回路
２２ａ  ＦＥ信号生成回路
２２ｂ  フォーカシング制御回路
２３ａ  ＴＥ信号生成回路
２３ｂ  トラッキング制御回路
２４ａ  スレッドモータ
２４ｂ  スレッドモータ制御回路
２５  スピンドルモータ部
２５ａ  スピンドルモータ
２５ｂ  スピンドルモータ制御回路
２６  データ再生回路
２７  ＰＬＬ制御回路
３１  ＣＰＵ
３１ａ  ＣＤ／ＤＶＤ判定手段
３１ｂ  ディスク種類判別手段
３１ｃ  スレッドモータ駆動手段
３１ｄ  フォーカスサーボ実施手段
３１ｅ  全加算信号出力取得手段
３１ｆ  閾値算出手段
３１ｇ  ピーク数算出手段
３１ｈ  高反射率箇所数照合手段
３２  ＲＡＭ
３３  ＲＯＭ
３４ａ  ＬＥＤ駆動回路
３４ｂ  ＬＥＤ表示部
３５  インターフェース回路
４０  ホスト装置
【図１】
2008010096.tif 000003
【図２】
2008010096.tif 000004
【図３】
2008010096.tif 000005
【図４】
2008010096.tif 000006
【図５】
2008010096.tif 000007
【図６】
2008010096.tif 000008
【図７】
2008010096.tif 000009
【図８】
2008010096.tif 000010